(57)【要約】曲率変化調節性眼内レンズが提供され、この眼内レンズの前面は、曲率の動的変化を受けて、遠くの物体から近くの物体に光の焦点を合わせる。レンズは、触覚素子とレンズ素子との間の接合部として画定された嚢、または触覚素子とレンズ素子の周辺との間に位置付けられた嚢からの流体移動を利用して、曲率を変化させる。
2016501621.tif 000002
【特許請求の範囲】
【請求項１】
着用者の眼内に、その視力を調整するために挿入されるように適合される、眼内レンズであって、
チャンバ、および前記チャンバに沿った光学膜を備える、レンズ素子と、
前記チャンバと流体連通している少なくとも１つの嚢であって、内部に流体材料を含有する少なくとも１つの嚢と、
前記少なくとも１つの嚢に接続された少なくとも１つの触覚素子と、を備え、
前記少なくとも１つの触覚素子の移動が、前記少なくとも１つの嚢と前記レンズ素子の前記チャンバとの間の前記流体材料の移動を引き起こし、それにより前記光学膜の移動を引き起こして、前記光学膜のレンズ半径を変動させるようにする、眼内レンズ。
【請求項２】
前記少なくとも１つの嚢が、前記少なくとも１つの触覚素子と前記レンズ素子の周辺縁との間に位置付けられる、請求項１に記載の眼内レンズ。
【請求項３】
前記少なくとも１つの嚢が、前記少なくとも１つの触覚素子と前記レンズ素子の前記チャンバとの間の接合部を画定する、請求項１に記載の眼内レンズ。
【請求項４】
前記少なくとも１つの触覚素子が、前記眼内レンズが中に置かれる前記着用者の眼の毛様体の収縮および伸張によって、前記レンズ素子の周辺縁に向かって、およびそこから離れる方向に移動可能である、請求項１に記載の眼内レンズ。
【請求項５】
前記少なくとも１つの触覚素子の、前記周辺縁から離れる移動が、前記少なくとも１つの嚢の減圧を引き起こし、前記流体材料の、前記レンズ素子の前記チャンバから前記少なくとも１つの嚢への移動を可能にし、前記光学膜の前記レンズ半径の扁平化を引き起こして、前記レンズ素子の焦点を遠方視力のために調整させる、請求項４に記載の眼内レンズ。
【請求項６】
前記少なくとも１つの触覚素子の、前記レンズ素子の前記周辺縁に向かっての移動が、前記少なくとも１つの嚢の圧縮を引き起こして前記流体材料を前記チャンバ内に促し、前記光学膜の膨隆およびその前記レンズ半径の急峻化を引き起こして、前記レンズ素子の焦点をより近い物体のために調整させる、請求項４に記載の眼内レンズ。
【請求項７】
少なくとも１つの嚢が、前記レンズ素子の周辺縁に沿って載置された圧縮可能体を備え、その中におよび前記レンズ素子の前記周辺縁を通じて画定され、かつ前記圧縮可能体と前記レンズ素子の前記チャンバとの間に、流体材料がそれらの間を通過するために延在する、開口部を有する、請求項１に記載の眼内レンズ。
【請求項８】
前記少なくとも１つの触覚素子が、ある角度で前記少なくとも１つの嚢に接触する、請求項１に記載の眼内レンズ。
【請求項９】
前記少なくとも１つの触覚素子が、その反対側で前記レンズ素子に接続された一対の触覚素子を備え、前記少なくとも１つの嚢が、一対の嚢を備え、それぞれが、前記触覚素子のうちの１つと前記レンズ素子の周辺縁との間に位置付けられ、それぞれが、前記レンズ素子の前記チャンバと流体連通している、請求項１に記載の眼内レンズ。
【請求項１０】
着用者の眼内に、その視力を調整するために挿入されるように適合される、眼内レンズであって、
流体材料を含有するチャンバを画定するレンズ体、および前記チャンバに沿った光学膜を備える、レンズ素子と、
少なくとも１つの触覚素子と、
前記少なくとも１つの触覚素子と前記レンズ素子の周辺縁との間に位置付けられた少なくとも１つの嚢であって、流体材料をその内に含有する、少なくとも１つの嚢と、を備え、
前記少なくとも触覚素子の移動が、前記少なくとも１つの嚢および前記レンズ素子の前記チャンバ内で前記流体材料の移動を引き起こし、それにより前記光学膜の移動を引き起こして、前記光学膜のレンズ半径を変動させるようにする、眼内レンズ。
【請求項１１】
前記少なくとも１つの触覚素子が、前記眼内レンズが中に置かれる前記着用者の眼の毛様体の収縮および伸張によって、前記レンズ素子の周辺縁に向かって、およびそこから離れる方向に移動可能である、請求項１０に記載の眼内レンズ。
【請求項１２】
前記少なくとも１つの触覚素子の、前記周辺縁から離れる移動が、前記少なくとも１つの嚢の減圧を引き起こし、前記嚢および前記チャンバ内で前記流体材料への圧力を解放し、それによって、前記光学膜の前記レンズ半径の扁平化を引き起こして、前記レンズ素子の焦点を遠方視力のために調整させる、請求項１１に記載の眼内レンズ。
【請求項１３】
前記少なくとも１つの触覚素子の、前記レンズ素子の前記周辺縁に向かっての移動が、前記少なくとも１つの嚢の圧縮を引き起こして、前記嚢内の前記流体材料を前記レンズ体の側面に対して押し付け、前記チャンバ内の前記流体材料を上方に移動させ、それによって、前記光学膜の膨隆およびその前記レンズ半径の急峻化を引き起こして、前記レンズ素子の焦点をより近い物体のために調整させる、請求項１１に記載の眼内レンズ。
【請求項１４】
少なくとも１つの嚢が、前記レンズ素子の周辺縁に沿って載置された圧縮可能体を備え、その中におよび前記レンズ素子の前記周辺縁を通じて画定され、かつ前記圧縮可能体と前記レンズ素子の前記チャンバとの間に、流体材料がそれらの間を通過するために延在する、開口部を有する、請求項１０に記載の眼内レンズ。
【請求項１５】
前記少なくとも１つの触覚素子が、その反対側で前記レンズ素子に接続された一対の触覚素子を備え、前記少なくとも１つの嚢が、一対の嚢を備え、それぞれが、前記触覚素子のうちの１つと前記レンズ素子の周辺縁との間に位置付けられる、請求項１０に記載の眼内レンズ。
【請求項１６】
前記少なくとも１つの嚢と前記チャンバとの間に膜をさらに備え、前記少なくとも１つの触覚素子の、前記レンズ素子の前記周辺縁に向かっての移動が、前記少なくとも１つの嚢の圧縮を引き起こして、前記嚢内の前記流体材料を前記膜に対して押し付け、前記チャンバ内の前記流体材料を上方に移動させ、それによって、前記光学膜の膨隆を引き起こす、請求項１１に記載の眼内レンズ。
【発明の詳細な説明】
【技術分野】
【０００１】
発明の分野
本発明は、概して、眼内レンズ（ＩＯＬ）の分野に関し、より具体的には、調節性ＩＯＬに関する。
【背景技術】
【０００２】
発明の背景
眼内レンズ（ＩＯＬ）は、例えば、白内障によって混濁した天然水晶体を置換するための人の眼内への埋め込みのために開発されてきた。現代のＩＯＬは、概して、主に単焦点であって、すなわち、それらは、遠方視力を改善するために、遠くの物体から網膜上に光の焦点を合わせる。しかしながら、コンピュータスクリーンまたは印刷本等の近くの物体を見るためには、埋め込まれた単焦点ＩＯＬを有する個人は、多くの場合、依然として読書用眼鏡を使用する必要がある。
【０００３】
ＩＯＬのための既存の設計は、同時に、遠くおよび近くの物体から網膜上に光の焦点を合わせる。個人の脳は、次いで、それが近くまたは遠くの物体を見ることを望むのかどうかを決定する。これらのＩＯＬの１つの欠点は、網膜に到達する光の１００％未満が近くまたは遠くの物体からのものであるので、画像コントラスト全体が、概して、減じられることである。
【０００４】
いくつかの老視のＩＯＬ設計は、動的であり、眼の調節性機構から利用可能な力の下で段階的移動を受ける。これらのＩＯＬは、二重レンズシステムを備え、レンズのうちの少なくとも１つが調節性圧力下で長手方向に移動し、それによって、より近い物体が焦点の中に入る。これらのＩＯＬの欠点は、それらが、多くの場合、（最低２．５Ｄ（ジオプトリー）として定義された）完全な調節を提供しないことである。言い換えると、それらは、十分なレンズ移動を提供せず、それによって、遠距離物体からの焦点は、個人の頭から約４０ｃｍ（４０ｃｍが読書のために所望の平均距離である場合）の物体まで移動され得る。レンズの長手方向移動を組み込む現代のＩＯＬ設計は、１Ｄ未満の調節を提供する。
【０００５】
したがって、動的調節眼内レンズに対する必要が存在し、それは、それが埋め込まれている個人に全範囲の視力（約４０ｃｍに対して無限）を提供する。
【発明の概要】
【０００６】
発明の概要
本発明は、概して、着用者の眼内に、その視力を調整するために挿入されるように適合される、眼内レンズに関する。眼内レンズは、チャンバを画定するレンズ体、およびチャンバにわたって延在する光学膜を備える、レンズ素子を含み得る。眼内レンズは、チャンバと流体連通している少なくとも１つの嚢を備え得る。少なくとも１つの嚢および／またはレンズ体のチャンバは、内部に流体材料を含有し得る。眼内レンズは、少なくとも１つの嚢に接続された、またはそれに係合するように適合された少なくとも１つの触覚素子をさらに備えることになる。少なくとも１つの触覚素子の移動は、よって、概して、少なくとも１つの嚢とチャンバとの間および／またはそれらの内部の流体の移動を引き起こし、それによって、光学膜のレンズ半径を変動させる。光学膜のレンズ半径の変動は、レンズ素子の焦点を遠方視力またはより近い物体のために調整させる。光学膜のレンズ半径のそのような変動は、眼の遠くの物体から近くの物体（４０ｃｍ、またはさらにそれより近い）までの完全な調節（＞＝２．５Ｄ）を可能にし得、それによって、１つまたは２つのレンズの長手方向移動に依存する現代のＩＯＬ設計（＜＝１Ｄ）の性能を超える。
【０００７】
本発明の他の目的および利点は、次の図面および詳細な説明に基づいて、当業者に明らかになるだろう。
【図面の簡単な説明】
【０００８】
【図１Ａ】本発明の一実施形態による眼内レンズ１００Ａの斜視図である。
【図１Ｂ】眼内レンズ１００Ａの底面図である。
【図１Ｃ】眼内レンズ１００Ａの側面図である。
【図２】着用者の眼内に埋め込まれた眼内レンズ１００Ｂの模式図である。
【図３Ａ】本発明の代替例の実施形態による眼内レンズ１００Ｂの上面図である。
【図３Ｂ】眼内レンズ１００Ｂの底面図である。
【０００９】
当業者であれば、慣例に従って、下で考察される図面の様々な特徴が必ずしも尺度通りに描かれていないこと、ならびに図面の様々な特徴および要素の寸法が、本明細書に記載の本発明の実施形態をより明確に図解するために拡大または縮小され得ることを認識および理解するであろう。
【発明を実施するための形態】
【００１０】
詳細な説明
図面に図解されるように、本発明の原理によって形成された眼内レンズ（ＩＯＬ）１００Ａ、１００Ｂは、眼の天然調節性力に反応することによって、遠くの物体から近くの物体に光の焦点を合わせるための患者の眼内に埋め込まれたレンズの曲率を動的に変化させるように設計されている。調節は、眼が光学屈折力を（天然レンズ形状を変化させることによって）変化させて、物体への焦点を、その距離が変化するときに維持する工程である。
【００１１】
図１Ａ〜図３Ｂに図解されるように、ＩＯＬ１００Ａ／１００Ｂは、レンズ素子１０２Ａ／１０２Ｂ、第１の触覚素子１０４Ａ／１０４Ｂ、および第２の触覚素子１０６Ａ／１０６Ｂを備える。レンズ素子１０２Ａ／１０２Ｂは、概して、実質的に半球形状体で形成され、それは、チャンバ１０８Ａ／１０８Ｂの上方／にわたって延在する光学膜（図１Ｃの側面図に３１０Ａとして示された）によって画定された内部チャンバ１０８Ａ／１０８Ｂを含む。光学膜３１０Ａは、チャンバ１０８Ａ／１０８Ｂの前方側に概して位置付けられた柔軟な膜であり得る。
【００１２】
図２Ａおよび図３Ａに図示されるように、第１の触覚素子１０４Ａ／１０４Ｂおよび第２の触覚素子１０６Ａ／１０６Ｂは、その反対側でレンズ素子１０２Ａ／１０２Ｂに接続され得る。図２Ａに図解されるような実施形態では、例えば、第１の触覚素子１０４Ａおよび第２の触覚素子１０６Ａは、レンズ素子１０２Ａと一体化して形成され得る。第１の触覚素子１０４Ａ、第２の触覚素子１０６Ａ、およびレンズ素子１０２Ａは、一片に成形され得る。図３Ａに図解されるような代替例の実施形態では、例えば、第１の触覚素子１０４Ｂ、第２の触覚素子１０６Ｂ、およびレンズ素子１０２Ｂは、プラズマ結合、接着剤、および／または他の結合技法によって一緒に取り付けられる別個の片または部品として形成され得る。眼内に埋め込まれるとき、第１の触覚素子１０４Ａ／１０４Ｂおよび第２の触覚素子１０６Ａ／１０６Ｂは、水晶体嚢内でレンズ素子１０２Ａ／１０２Ｂを支持する。
【００１３】
図２Ａおよび図３Ａに図示されるように、ＩＯＬ１００Ａ／１００Ｂは、第１の嚢１１０Ａ／１１０Ｂ、および典型的には第２の嚢１１２Ａ／１１２Ｂをさらに含むことになる。第１の嚢１１０Ａ／１１０Ｂおよび第２の嚢１１２Ａ／１１２Ｂのそれぞれは、チャンバ１０８Ａ／１０８Ｂと流体連通し得る。代替例の実施形態では、嚢は、嚢１１０Ａ／１１０Ｂから各チャンバ１０８Ａ／１０８Ｂに力を伝達することが可能である圧力膜によって、チャンバ１０８Ａ／１０８Ｂから分離され得る。第１の嚢１１０Ａ／１１０Ｂおよび第２の嚢１１２Ａ／１１２Ｂのそれぞれは、内部に流体材料を含有し得る。流体材料は、シリコーン系ゲル、および／または、当該技術において理解されるであろうそのような光学用途に好適な他の類似の流体材料を含み得る。第１の触覚素子１０４Ａ／１０４Ｂは第１の嚢１１０Ａ／１１０Ｂに接続され得る。第２の触覚素子１０６Ａ／１０６Ｂは第２の嚢１１２Ａ／１１２Ｂに接続され得る。図２Ａに図解される実施形態では、例えば、第１の嚢１１０Ａは、第１の触覚素子１０４Ａとチャンバ１０８Ａとの間の接合部を画定する。同様に、第２の嚢１１２Ａは、第２の触覚素子１０６Ａとチャンバ１０８Ａとの間の接合部を画定する。図２および図３Ａに図解される代替例の実施形態では、例えば、第１の嚢１１０Ｂは、第１の触覚素子１０４Ｂとレンズ素子１０２Ｂの周辺縁１２０Ｂとの間に位置付けられ得る。第２の嚢１１２Ｂは、第２の触覚素子１０６Ｂとレンズ素子１０２Ｂの周辺縁１２２Ｂとの間に位置付けられ得る。
【００１４】
第１の嚢１１０Ａ／１１０Ｂを画定する第１の中間膜は、第１の触覚素子１０４Ａ／１０４Ｂおよびレンズ素子１０２Ａ／１０２Ｂに取り付けられ得、第２の嚢１１２Ａ／１１２Ｂを画定する第２の中間膜は、第２の触覚素子１０６Ａ／１０６Ｂおよびレンズ素子１０２Ａ／１０２Ｂに取り付けられ得る。第１および第２の中間膜は、プラズマまたは接着剤結合を介して等、様々な結合技法を介して取り付けられ得る。第１および第２の中間膜は、内部に流体を含有する液嚢を（嚢として）形成し得る。液嚢は、図２Ａおよび図３Ａに図解されるように異なる形状のものであり得る。膜／液嚢は、レンズ体を用いて、またはそれの一部として形成され得る。
【００１５】
レンズ素子１０２Ａ／１０２Ｂ、第１の触覚素子１０４Ａ／１０４Ｂ、および／または第２の触覚素子１０６Ａ／１０６Ｂ、概して、シリコーン、アクリル（例えば、ＡｃｒｙＳｏｆ（登録商標））、ヒドロゲル、および／またはそれらの組み合わせ等の、柔軟な、可撓性の、および典型的には親水性の材料から形成されることになる。第１の嚢１１０Ａ／１１０Ｂおよび第２の嚢１１２Ａ／１１２Ｂ（すなわち、第１の嚢１１０Ａ／１１０Ｂおよび第２の嚢１１２Ａ／１１２Ｂを画定する中間膜）を形成するために用いられる材料は、例えば、嚢がレンズ素子の体と一体化して形成される場合のレンズ素子および触覚素子の材料と同じであり得るか、レンズ素子１０２Ａ／１０２Ｂ、第１の触覚素子１０４Ａ／１０４Ｂ、および／または第２の触覚素子１０６Ａ／１０６Ｂを形成するために用いられる材料と異なり得る。また、第１の嚢１１０Ａ／１１０Ｂおよび第２の嚢１１２Ａ／１１２Ｂ内に含有される流体材料は、第１の嚢１１０Ａ／１１０Ｂおよび第２の嚢１１２Ａ／１１２Ｂを形成するために用いられる材料と異なり得る。第１の嚢１１０Ａ／１１０Ｂおよび第２の嚢１１２Ａ／１１２Ｂを形成するために用いられる材料は、中に含有される流体に対して不浸透性であり得る。
【００１６】
第１の嚢１１０Ａ／１１０Ｂは、レンズ素子１０２Ａ／１０２Ｂの周辺縁１２０Ａ／１２０Ｂに沿って載置された（第１の中間膜によって形成された）第１の圧縮可能体を備える。同様に、第２の嚢１１２Ａ／１１２Ｂは、レンズ素子１０２Ａ／１０２Ｂの周辺縁１２２Ａ／１２２Ｂに沿って載置された（第２の中間膜によって形成された）第２の圧縮可能体を備える。特に、この文脈における「圧縮可能」は、触覚を変形することなく、相対的に剛性の触覚によって曲がる嚢を指す。図２Ｂおよび図４Ｂにさらに図示されるように、第１の嚢１１０Ａ／１１０Ｂは、その中におよびレンズ素子１０２Ａ／１０２Ｂの周辺縁１２０Ａ／１２０Ｂを通じて画定され、かつ第１の圧縮可能体とレンズ素子１０２Ａ／１０２Ｂのチャンバ１０８Ａ／１０８Ｂとの間に、流体がそれらの間を通過するために延在する、第１の開口部を有する。同様に、第２の嚢１１２Ａ／１１２Ｂは、その中におよびレンズ素子１０２Ａ／１０２Ｂの周辺縁１２２Ａ／１２２Ｂを通じて画定され、かつ第２の圧縮可能体とチャンバ１０８Ａ／１０８Ｂとの間に、流体がそれらの間を通過するために延在する、第２の開口部を有する。第１の嚢１１０Ａ／１１０Ｂおよび第２の嚢１１２Ａ／１１２Ｂの壁は、圧縮下でそれらが膨隆しないのに十分な強さをしている。その代わりに、第１の嚢１１０Ａ／１１０Ｂおよび第２の嚢１１２Ａ／１１２Ｂ内の流体は、各開口部を通してチャンバ１０８Ａ／１０８Ｂ内に押し込まれる。また、光学膜３１０Ａの厚さは、おそらく、周辺近くでより大きく、中心でより薄いが、その中心は、流体がチャンバ１０８Ａ／１０８Ｂ内に押し込まれるときに、光学膜３１０Ａの中心を膨隆させる。
【００１７】
第１の触覚素子１０４Ａ／１０４Ｂの移動は、第１の嚢１１０Ａ／１１０Ｂ内に含有される流体を、第１の嚢１１０Ａ／１１０Ｂとチャンバ１０８Ａ／１０８Ｂとの間で移動させる。第２の触覚素子１０６Ａ／１０６Ｂの移動は、第２の嚢１１２Ａ／１１２Ｂ内に含有される流体を、第２の嚢１１２Ａ／１１２Ｂとチャンバ１０８Ａ／１０８Ｂとの間で移動させる。第１の触覚素子１０４Ａ／１０４Ｂおよび第２の触覚素子１０６Ａ／１０６Ｂの移動は、ＩＯＬ１００Ａ／１００Ｂが置かれる着用者の眼の毛様体の収縮または伸張によって引き起こされる。第１の触覚素子１０４Ａ／１０４Ｂおよび第２の触覚素子１０６Ａ／１０６Ｂは、毛様体の収縮によって（すなわち、眼が調節を受けるとき）、それぞれ、レンズ素子１０２Ａ／１０２Ｂの周辺縁１２０Ａ／１２０Ｂおよび１２２Ａ／１２２Ｂに向かって移動可能である。第１の触覚素子１０４Ａ／１０４Ｂおよび第２の触覚素子１０６Ａ／１０６Ｂは、毛様体の伸張によって（すなわち、眼が無調節を受け、毛様体筋が弛緩するとき）、それぞれ、レンズ素子１０２Ａ／１０２Ｂの周辺縁１２０Ａ／１２０Ｂおよび１２２Ａ／１２２Ｂから離れて移動可能である。
【００１８】
調節の前、または眼が無調節状態にあるとき、ＩＯＬ１００Ａ／１００Ｂは、水晶体嚢（図中に特に図解されていない）中に浮遊し、毛様小帯によって保持される。この状態では、第１の触覚素子１０４Ａ／１０４Ｂおよび第２の触覚素子１０６Ａ／１０６Ｂは、毛様体に接触することが困難である（すなわち、毛様体に固着されない）。
【００１９】
眼が調節を受けるとき、毛様体は収縮する。毛様体の収縮は、第１の触覚素子１０４Ａ／１０４Ｂおよび第２の触覚素子１０６Ａ／１０６Ｂとの毛様体の係合を引き起こす。そのような係合は、レンズ素子１０２Ａ／１０２Ｂの周辺縁１２０Ａ／１２０Ｂに対する第１の触覚素子１０４Ａ／１０４Ｂの移動、およびレンズ素子１０２Ａ／１０２Ｂの周辺縁１２２Ａ／１２２Ｂに対する第２の触覚素子１０６Ａ／１０６Ｂの移動を引き起こす。第１の触覚素子１０４Ａ／１０４Ｂおよび第２の触覚素子１０６Ａ／１０６Ｂの移動は、それぞれ、第１の嚢１１０Ａ／１１０Ｂおよび第２の嚢１１２Ａ／１１２Ｂの圧縮を引き起こす。第１および第２の嚢１１０Ａ／１１０Ｂ、１１２Ａ／１１２Ｂの圧縮は、それぞれの嚢からレンズ素子１０２Ａ／１０２Ｂのチャンバ１０８Ａ／１０８Ｂ内に流体を促し、光学膜３１０Ａの膨隆およびそのレンズ半径の急峻化を引き起こして、レンズ素子１０２Ａ／１０２Ｂの焦点をより近い物体のために調整させる。流体は、開口部を通してレンズ素子１０２Ａ／１０２Ｂのチャンバ１０８Ａ／１０８Ｂ内に促される。開口部は、スロット、円形穴、および／または流体の転写を可能にする他の開口を備え得る。レンズ半径の急峻化は、より近い物体に焦点を合わせるレンズ素子１０２Ａ／１０２Ｂの屈折力を増加させる。
【００２０】
毛様体が（無調節中に）弛緩するとき、第１および第２の触覚素子１０４Ａ／１０４Ｂ、１０６Ａ／１０６Ｂへの圧縮力は解放される。言い換えると、第１の触覚素子１０４Ａ／１０４Ｂおよび第２の触覚素子１０６Ａ／１０６Ｂは、それぞれ、レンズ素子１０２Ａ／１０２Ｂの周辺縁１２０Ａ／１２０Ｂ、１２２Ａ／１２２Ｂから離れる方向に移動する。そのような移動は、第１および第２の嚢１１０Ａ／１１０Ｂ、１１２Ａ／１１２Ｂの減圧を引き起こす。第１および第２の嚢１１０Ａ／１１０Ｂ、１１２Ａ／１１２Ｂの減圧は、流体をチャンバ１０８Ａ／１０８Ｂからそれぞれの嚢に移動させ、光学膜３１０Ａのレンズ半径の扁平化を引き起こして、レンズ素子１０２Ａ／１０２Ｂの焦点を遠方視力のために調節させる。流体は、チャンバ１０８Ａ／１０８Ｂから嚢１１０Ａ／１１０Ｂ、１１２Ａ／１１２Ｂに開口部を介して逆に移動され得る。レンズ半径の扁平化は、レンズ素子１０２Ａ／１０２Ｂの屈折力を、遠方視力のためにその静止状態に戻して減少させる。
【００２１】
ＩＯＬ１００Ａ／１００Ｂが、２つの触覚素子を持つものとして説明され、一方で、本開示の範囲から逸脱することなく、レンズ素子１０２Ａ／１０２Ｂが触覚に対して中心に置かれる限り、任意の数の触覚素子がレンズ素子１０２Ａ／１０２Ｂを支持するために用いられ得る、ことが理解されるだろう。
【００２２】
本発明が、好ましい実施形態を参照して上記に説明されてきたが、多数の変形、修正、および追加が、それに対して、添付の特許請求の範囲で記載されるように、本発明の趣旨および範囲から逸脱することなく、行われ得る、ことが当業者によってさらに理解されるだろう。
【図１Ａ】
2016501621.tif 000003
【図１Ｂ】
2016501621.tif 000004
【図１Ｃ】
2016501621.tif 000005
【図２】
2016501621.tif 000006
【図３Ａ】
2016501621.tif 000007
【図３Ｂ】
2016501621.tif 000008
【国際調査報告】
2016501621.tif 000009